(57)【要約】【課題】映像、音声データに加え、字幕やデータ放送用のデータなど様々な情報を人間の目で同時に監視することは不可能であり、放送品質の維持に限界があった。【解決手段】記憶部から取得した番組パラメータを有する編成情報データと、第1のトランスポートストリームの番組パラメータを含む第1のパラメータとを比較し、比較結果を出力する手段と、前記比較結果に基づいて警報を出力する手段を有する。その結果、映像、音声、字幕、データ放送、EPG、ワンセグ放送などの地上波・BSデジタル放送に必要な情報を自動監視することができる。【選択図】      図1
2015186160.tif 000002
【特許請求の範囲】
【請求項１】
記憶部から取得した番組パラメータを有する編成情報データと、第1のトランスポートストリームの番組パラメータを含む第1のパラメータとを比較し、比較結果を出力するパラメータ比較部と、
前記比較結果に基づいて警報を出力するアラーム作成部と、
を有することを特徴とする自動運行監視装置。
【請求項２】
前記パラメータ比較部は、受信器で受信した前記第1のトランスポートストリームと、前記編成情報データとを比較する
ことを特徴とする請求項1記載の自動運行監視装置。
【請求項３】
前記パラメータ比較部は、前記編成情報データと送信機の送信した第2のトランスポートストリームの番組パラメータを含む第2のパラメータとを比較する
ことを特徴とする請求項2記載の自動運行監視装置。
【請求項４】
前記パラメータ比較部は前記第1のパラメータと前記第2のパラメータとを比較する
ことを特徴とする請求項1から3記載の自動運行監視装置。
【請求項５】
トランスポートストリームを作成する手段に入力される第4の信号を解析し、解析結果を前記アラーム作成部に出力する手段を有し、
前記アラーム作成部は前記解析結果に基づいて警報を出力する
ことを特徴とする請求項1から4いずれか記載の自動運行監視装置。
【請求項６】
番組パラメータを有する編成情報データを取得するステップと、
第1のトランスポートストリームの番組パラメータを含む第1のパラメータを取得するステップと、
前記編成情報データと前記第1のパラメータとを比較するステップと、
前記比較結果に基づいて警報を出力するステップと、
を有することを特徴とする自動運行監視方法。
【請求項７】
送信機の送信した第2のトランスポートストリームの番組パラメータを含む第2のパラメータを取得するステップと、
前記編成情報データと前記第2のパラメータとを比較するステップと、
をさらに有することを特徴とする請求項6記載の自動運行監視方法。
【請求項８】
前記第1のパラメータと前記第2のパラメータとを比較するステップ
をさらに有することを特徴とする請求項6または7記載の自動運行監視方法。
【請求項９】
前記トランスポートストリームを作成する手段に入力される第4の信号を解析し、解析結果を前記アラーム作成部に出力するステップと、
前記解析結果に基づいて警報を出力するステップと
をさらに有することを特徴とする請求項6から8いずれか記載の自動運行監視方法。
【発明の詳細な説明】
【技術分野】
【０００１】
本発明は地上波・BSデジタルテレビ放送における運行監視システムに関する
【背景技術】
【０００２】
地上波・BSデジタル放送では、デジタルテレビサービスに対応した映像、音声、字幕、データ放送、電子番組表(Electronic Program Guide、EPG)、ワンセグ放送を送出している。放送事業者では運行担当者が編成情報システムから出力される番組情報帳票を基に、目視にて番組送出状況の確認を行い、正常に放送されているか否か、あるいは災害、事件などの緊急番組への変更といった業務を行っていた。この方法では人手がかかるのと放送品質の維持に限界があった。
【先行技術文献】
【特許文献】
【０００３】
【特許文献１】特開平8-70476号公報  特許文献1にはテレビ放送番組がスケジュール通りに放送されたか否かを自動的に確認する技術が開示されている。ここでは運行データに記載の放送すべき番組情報にその番組を識別するための識別情報を重畳し、文字多重信号として送出する。受信機では文字多重デコーダを用いて受信した文字多重信号から現在放送されている番組の識別情報を取得しその時刻に放送されるべき番組の識別情報と比較し、不一致であればアラームを出力する。
【発明の概要】
【発明が解決しようとする課題】
【０００４】
特許文献1記載の技術は運行データに記載された番組が実際に放送されているか否かを監視する技術である。しかし、実際の地上波・BSデジタル放送番組は映像、音声、字幕などの様々な情報を含んでいる。デジタル放送の普及に伴い、EPGやデータ放送に用いる番組情報といった副次的な情報も監視対象となる。これらの情報をすべて文字多重化し、文字多重化信号として放送波と共に送信した場合、映像、音声情報に割り当てる容量を削減しなければならない。
【課題を解決するための手段】
【０００５】
記憶部から取得した番組パラメータを有する編成情報データと、第1のトランスポートストリームの番組パラメータを含む第1のパラメータとを比較し、比較結果を出力する手段と、前記比較結果に基づいて警報を出力する手段を有する。
【発明の効果】
【０００６】
映像、音声、字幕、データ放送、EPG、ワンセグ放送などの地上波・BSデジタル放送に必要な情報を自動監視することができる。
【図面の簡単な説明】
【０００７】
【図１】第1の実施形態ブロック図
【図２】編成情報データ例
【図３】TS例
【図４】TS解析フロー
【図５】第2の実施形態ブロック図
【発明を実施するための形態】
【０００８】
本発明の実施形態について図面を参照し詳細に説明する。本発明の実施形態は後述する形態例に限定されるものではなく、その技術思想の範囲において種々の変形が可能である。
【０００９】
［第一の実施形態］
本実施形態ではトランスポートストリーム(Transport Stream、TS)に基づいて番組の運行監視を行う。放送局にてエンコードされた直後のTSと受信機にて受信した直後のTSと編成情報データとに基づいて番組の運行を監視する。
【００１０】
［構成の説明］
図 1に本実施形態のブロック図を示す。本運行監視システムは、データベース1(Data Base、DB)、自動番組制御部2(Automatic Program control System、APS)、スイッチャー3(Switcher、SWER)、符号化/多重化部4(Encoder、ENC/MCS Control System、MCS)、送信部5(Transmitter、TX)、受信部6(Receiver、RX)、TS解析部7、パラメータ比較部8、アラーム作成部9から構成される。以下、各構成要素の詳細を説明する。
【００１１】
DB1は編成情報データを記憶し、APS2に出力する。編成情報データの例を図 2に示す。編成情報データには各番組の映像パラメータ(ステレオ、モノラル、16：9など)や音声パラメータ(デュアル、5.1サラウンドなど)、字幕パラメータ(日本語、2か国語など)などの放送番組の構成に必要な様々なパラメータが識別子と共に詳細に記載されている。以下、本出願ではこれらのパラメータをまとめて番組パラメータとする。
【００１２】
APS2はDB1から取得した編成情報データで指定されている番組パラメータに基づいてSWER3におけるスイッチング処理とENC/MCS4における符号化、多重化処理を制御する制御信号をSWER3とENC/MCS4とにそれぞれ出力する。また、DB1から取得した編成情報データをパラメータ比較部に出力する。制御信号は例えば「ARIB STD-B32」に記載された規格に基づいて作成される。
【００１３】
SWER3は外部から取得した映像、音声データのスイッチング処理を行う。その後、スイッチング処理後の映像、音声データをENC/MCS4に出力する。
【００１４】
ENC/MCS4はスイッチング処理された映像、音声データの符号化及び多重処理を行い、TSを作成する。TSはパケット化された映像、音声データ(PES)を伝送することを前提とした信号形式であり、TSパケット長さは188バイトである。以下ENC/MCS4から出力されたTSをTS1とする。各TSパケットはパケット識別子などを含むTSヘッダ(TH)とPESから構成される。図 3(a)にTS1の構成を示す。ENC/MCS4はTS1をTX5とパラメータ比較部8にそれぞれ出力する。
【００１５】
TX5はENC/MCS4から取得したTS1をRX6に向けて送信する。
【００１６】
RX6はTX5から送信されたTS1を受信し、パラメータ比較部8に出力する。以下RX6から出力されたTSをTS2とする。図 3(b)にTS2の構成を示す。TS1と同様、THとPESから構成される。
【００１７】
TS解析部7は取得したTS1、TS2を解析する。映像、音声データはENC/MCS4にて編成情報データで指定されている番組パラメータに基づいて符号化、多重化が行われる。そのためTS1、TS2には番組パラメータが反映されている。取得したTS1、TS2から各番組パラメータに設定された識別子と、放送時刻などの時刻情報をそれぞれ抽出しパラメータ比較部8に出力する。以下TS解析部が出力する識別子をTS識別子、時刻情報をTS時刻情報とする。
【００１８】
パラメータ比較部8はTS解析部7から取得したTS識別子及びTS時刻情報と、APS2から取得した編成情報データで指定されている識別子及び時刻情報とを比較する処理を行う。この処理を行うことでTSが放送規格に準拠した符号化、多重化処理が行われているか否かを確認する処理を行う。実際には各機器の処理時間、及び伝送処理時間を有するため、TS時刻情報は編成情報データで指定されている時刻に対して遅延が生じる。そこで、編成情報データで指定されている時刻情報との比較を行うに先立ち、この遅延時間を考慮した補正を行う。なお、遅延時間は使用する機器及び受信環境により決まる固定値である。その後パラメータ比較結果をアラーム作成部9に出力する。
【００１９】
アラーム作成部9はパラメータ比較部8から取得した比較結果に基づいてアラームを作成する。編成情報データで指定されている識別子及び時刻情報と、TS識別子及び遅延時間を補正後のTS時刻情報とが一致しない場合、アラームを作成し図示しない番組運行業者に出力する。両者が一致している場合はアラームを作成しない。
【００２０】
［動作の説明］
次に図 4を用いて本実施形態における運行監視装置の動作を説明する。
【００２１】
DB1は編成情報データをAPS2に出力する(S1)。出力するタイミングは1日に数回とし、それ以外の場合で編成情報データが更新された場合はその都度APS2に出力する。よってAPS2は常に最新の編成情報データを保持することができる。
【００２２】
APS2はDB1から編成情報データを取得する。取得した編成情報データに基づいてSWER3及びENC/MCS4に対して制御信号を出力し(S2)、符号化のモードや多重化する情報を指定する。また、編成情報データをパラメータ比較部8に対して出力する(S3)。
【００２３】
SWER3は外部から取得した映像、音声データに対してAPS2からの制御信号に基づいてスイッチング処理を行う(S4)。その後スイッチング処理を施した映像、音声データをENC/MCS4に出力する。
【００２４】
ENC/MCS4はSWER3から取得したスイッチング処理された映像、音声データに対してAPS2からの制御信号に基づいて符号化及び多重化処理を行いTS1を作成する(S5)。その後、作成したTS1をTX5及びTS解析部7に出力する。
【００２５】
TX5はENC/MCS4から取得したTS1をRX6に送信する(S6)。
【００２６】
RX6はTX5から取得したTS1をTS2としてTS解析部7に出力する(S7)。
【００２７】
TS解析部7はENC/MCS4及びRX6からそれぞれ取得する(S8)。取得したTS1、TS2に対してTS解析を行い、TS識別子及びTS時刻情報を取得する(S9)。その後、TS識別子及びTS時刻情報をパラメータ比較部8に出力する。
【００２８】
パラメータ比較部8はAPS2 及びTS解析部7から編成情報データ、TS識別子及びTS時刻情報をそれぞれ取得する。続いて、TS時刻情報に対して所定の遅延時間を考慮した補正を行う。次に編成情報データで指定されている識別子及び時刻情報とTS2の識別子及び遅延補正後の時刻情報とを比較する処理を行う。続いて編成情報データで指定されている識別子及び時刻情報とTS1の識別子及び遅延補正後の時刻情報とを比較する処理を行う(S10)。これらの処理を行った後、比較結果をアラーム作成部9に出力する。
【００２９】
アラーム作成部9はパラメータ比較部8から取得した比較結果に基づいてアラームを作成する(S11)。編成情報データの識別子及び時刻情報とTS識別子及び遅延補正後の時刻情報とが一致していない場合はアラームを作成し、図示しない番組運行業者に出力する(S12)。両者が一致している場合はアラームを作成しない。TS1に関しても同様である。
【００３０】
［効果の説明］
TSを解析して番組パラメータを取得するため、自動的に映像、音声データや字幕、データ放送用のデータなど様々な情報を同時に監視することができる。
【００３１】
ENC/MCS4から出力されたTSとRX6にて受信したTSとの比較では編成情報データに沿った番組運行が行われているか否かを確認することはできない。一方、本実施形態ではRX6にて受信したTSを解析することで取得した番組パラメータと、編成情報データで指定されている番組パラメータとを直接比較することで放送規格に準拠した正常な番組運行が行われているか否かを確認することができる。
【００３２】
また、TS1の識別子及び遅延補正後の時刻情報と編成情報データで指定されている識別子及び時刻情報とを比較することでAPS2からENC/MCS4までの過程における異常を検知することができる。
【００３３】
なお、TS1の識別子及び遅延補正後の時刻情報と編成情報データで指定されている識別子及び時刻情報との一致が確認された後、パラメータ比較部8においてTS1の識別子及び遅延補正後の時刻情報とTS2の識別子及び遅延補正後の時刻情報とを比較することでTX5における異常を検知することもできる。
【００３４】
［第二の実施形態］
本実施形態ではTS1、TS2に加えて、SWER3から出力された直後の映像、音声データ(DEC1)とTS2を復号して得られる映像、音声データ(DEC2)とを用いて番組の運行監視を行う。
【００３５】
［構成の説明］
本実施形態のブロック図を図 5に示す。本実施形態では第1の実施形態に加えて、復号部10(Decoder、DEC)、DEC解析部11が追加されている。それに伴いパラメータ比較部8、アラーム作成部9の構成も第1の実施形態とは異なる。その他の構成要件は第1の実施形態同様であるため説明を省略する。
【００３６】
DEC10はRX6から取得したTS2を復号しDEC解析部11に出力する。
【００３７】
DEC解析部11はSWER3から取得した映像、音声データ(DEC1)とDEC2との映像及び音声を解析する。映像データに対しては画像の切れ目や混入がないかどうかを、音声データに対しては音声の混入や画像との整合性を解析する。解析終了後、解析結果をアラーム作成部9に出力する。また、解析時刻などの時刻情報をパラメータ比較部8に出力する。以下、DEC解析部から出力される解析結果をDECステータス、時刻情報をDEC時刻情報とする。
【００３８】
パラメータ比較部8はAPS2から取得した編成情報データと、TS解析部7から取得したTS識別子及びTS時刻情報と、DEC解析部11から取得したDEC時刻情報とを比較する。TS識別子及びTS時刻情報と編成情報データで指定されている識別子及び時刻情報との比較は第1の実施形態にて述べたとおりである。また、DEC時刻情報に関してはTS時刻情報と同様に所定の遅延時間を考慮した補正を行う。なお、遅延時間は使用する機器及び受信環境により決まる固定値である。この補正したDEC時刻情報と編成情報データで指定されている時刻情報とを比較する。その後、TS、DECそれぞれの比較結果をアラーム作成部9に出力する。
【００３９】
アラーム作成部9はパラメータ比較部8から取得したTS、DECそれぞれに関する比較結果とDEC解析部11から取得したDECステータスに基づいてアラームを作成する。TSに関するアラームは第1の実施形態にて述べたとおりである。DEC時刻情報に関して、遅延時間を補正後のDEC時刻情報と編成情報データで指定されている時刻情報とが一致していない場合はアラームを作成し、図示しない番組運行業者に出力する。両者が一致している場合はアラームを作成しない。
【００４０】
DECステータスに関して、映像データについては連続して出力されていることが必須条件であるため、信号の断絶や異常が検出された場合、速やかにアラームを作成する。字幕、データ放送については符号化及び多重化パラメータが編成情報データに準拠しているか否かを確認する。番組によっては字幕やデータ放送の無い場合も存在する。放送中の番組において字幕がない(編成情報データには字幕なしと設定されている)にもかかわらずTS解析部において字幕を検出した場合、従来の運行監視装置では「異常なし」と判定するが、本実施形態における運行監視装置では「異常あり」と判定する。その後、異常ありと判定された番組パラメータに関するアラームを作成し、図示しない番組運行業者に出力する。異常が検出されなかった場合はアラームを作成しない。
【００４１】
［動作の説明］
本実施形態における動作を説明する。
【００４２】
DB1は編成情報データをAPS2に出力する(S1)。
【００４３】
APS2はDB1から編成情報データを取得する。取得した編成情報データに基づいてSWER3及びENC/MCS4に対して制御信号を出力する(S2)。また、パラメータ比較部8に取得した編成情報データを出力する(S3)。
【００４４】
SWER3は取得した映像、音声データに対してAPS2からの制御信号に基づいてスイッチング処理を行う(S4)。その後スイッチング処理を施した映像、音声データをENC/MCS4とDEC解析部11とに出力する。SWER4から出力される映像、音声データをDEC1とする。
【００４５】
ENC/MCS4はSWER3から取得した映像、音声データに基づいてTS1を作成し(S5)、TX5及びTS解析部7にそれぞれ出力する。
【００４６】
TX5はENC/MCS4から取得したTS1をRX6に送信する(S6)。
【００４７】
RX6はTX5からTS1を受信し、TS2をTS解析部7及びDEC10にそれぞれ出力する(S13)。
【００４８】
TS解析部7は取得したTS1及びTS2を解析し、番組パラメータの識別子及び時刻情報を抽出する(S9)。その後、パラメータ比較部8にTS識別子、TS時刻情報を出力する。
【００４９】
DEC解析部11はSWER4及びDEC10からそれぞれ取得したDEC1、DEC2の映像内容と音声内容を解析し時刻情報を抽出する(S14)。その後、DEC時刻情報をパラメータ比較部8に、DECステータスをアラーム作成部9にそれぞれ出力する。
【００５０】
パラメータ比較部8はAPSから取得した編成情報データとTS解析部7から取得したTS識別子及びTS時刻情報とDEC解析部11から取得したDEC時刻情報とを比較する処理を行う(S15)。まず初めに、TS時刻情報及びDEC時刻情報に対して所定の遅延時間を考慮した補正を行う。次に編成情報データで指定されている識別子及び時刻情報とTS2の識別子及び遅延補正後の時刻情報とを比較する処理と、編成情報データの時刻情報と遅延補正後のDEC2時刻情報とを比較する処理を行う。続いて編成情報データで指定されている識別子及び時刻情報とTS1の識別子及び遅延補正後の時刻情報とを比較する処理と、編成情報データで指定されている時刻情報と遅延補正後のDEC1時刻情報とを比較する処理を行う。すべての比較処理が終了した後、比較結果をアラーム作成部9に出力する。
【００５１】
アラーム作成部9はパラメータ比較部8から取得した比較結果に基づいてアラームを作成する(S16)。編成情報データで指定されている時刻情報と遅延補正後のTS時刻情報及びDEC時刻情報を比較した結果不一致であった場合と、編成情報データで指定されている識別子とTS識別子が不一致であった場合と、DECステータスに異常が検知された場合にアラームを作成する。その後、作成したアラームを図示しない番組運行業者に出力する。両者が一致している場合やDECステータスに異常が検知されなかった場合はアラームを作成しない。
【００５２】
［効果の説明］
TS解析では映像、音声データに対して放送規格に準拠した符号化、多重化が行われているか否かを確認した。これに加えて、符号化前の映像、音声データと、RXにて受信したTSを復号して得られる映像、音声データとを比較することで、映像及び音声データのステータスを監視することができる。即ち映像の切れ目や混入などの映像異常と音飛びなどの音声異常を検知することができる。
【産業上の利用可能性】
【００５３】
テレビ放送における自動運行監視装置。
【符号の説明】
【００５４】
1    DB
2    APS
3    SWER
4    ENC/MUX
5    TX
6    RX
7    TS解析部
8    パラメータ比較部
9    アラーム作成部
10    DEC
11    DEC解析部
【図１】
2015186160.tif 000003
【図２】
2015186160.tif 000004
【図３】
2015186160.tif 000005
【図４】
2015186160.tif 000006
【図５】
2015186160.tif 000007